(57)【要約】【課題】上りリンクパケットデータサービスを支援する移動通信システムにおいて、この上りリンクパケットデータサービスのスケジューリングのために使用者端末から送られるパケットデータを格納するデータバッファーの状態を示すバッファー状態情報と、使用者端末の上りリンク送信電力を示すチャネル状態情報とを伝送する方法を提供する。【解決手段】使用者端末が、互に異なるバッファー状態情報伝送周期とチャネル状態情報伝送周期を獲得し、前記バッファーに格納されているパケットデータの量が、あらかじめ定められる所定の臨界値以上になると、前記バッファー状態情報とチャネル状態情報の伝送を始めた後に、前記バッファー状態情報伝送周期と前記チャネル状態情報伝送周期にしたがって前記バッファー状態情報と前記チャネル状態情報を周期的に伝送する。【選択図】図１２
2005065298.tif 000002
【特許請求の範囲】
【請求項１】
上りリンクパケットデータサービスを支援する移動通信システムにおいて、前記上りリンクパケットデータサービスのスケジューリングのために使用者端末が伝送しようとするパケットデータを格納しているバッファーのバッファー状態情報と上りリンクの送信電力を表すチャネル状態情報を伝送する方法であって、
相互に異なって設定されるバッファー状態情報伝送周期とチャネル状態伝送周期を獲得するステップと、
前記バッファーに格納されているパケットデータの量が、あらかじめ定められる所定の臨界値以上であれば、前記バッファー状態情報とチャネル状態情報の伝送を始めるステップと、
前記バッファー状態情報と前記チャネル状態情報の伝送を始めた後に、前記バッファー状態情報伝送周期と前記チャネル状態情報伝送周期にしたがって前記バッファー状態情報と前記チャネル状態情報を周期的に伝送するステップと、
を含めてなることを特徴とする方法。
【請求項２】
前記バッファー状態情報は、前記バッファー状態情報の伝送エラー検出のためのサイクリック・リダンダンシー・コード(ＣＲＣ)と共に伝送されることを特徴とする請求項１に記載の方法。
【請求項３】
前記バッファー状態情報と前記チャネル状態情報は、所定のスケジューリング区間の割り当てられた伝送領域にそれぞれ載せられて伝送され、前記バッファー状態情報伝送周期と前記チャネル状態情報伝送周期は、前記スケジューリング区間長さの整数倍であることを特徴とする請求項１に記載の方法。
【請求項４】
前記バッファー状態情報と前記チャネル状態情報はそれぞれ、このバッファー状態情報とチャネル状態情報の伝送が始まった直後から前記バッファー状態情報伝送周期と前記チャネル状態情報伝送周期の整数倍だけ離れたスケジューリング区間それぞれの割り当てられた伝送領域に載せられて伝送されることを特徴とする請求項３に記載の方法。
【請求項５】
前記バッファー状態情報と前記チャネル状態情報は、このバッファー状態情報とチャネル状態の伝送が始まった後に、あらかじめ定められる最初の指定スケジューリング区間と該最初の指定スケジューリング区間からそれぞれ前記バッファー状態情報伝送周期と前記チャネル状態情報伝送周期の整数倍だけ離れた指定スケジューリング区間それぞれの割り当てられた伝送領域に載せられて伝送されることを特徴とする請求項３に記載の方法。
【請求項６】
前記バッファー状態情報または前記チャネル状態情報のための前記指定スケジューリング区間は、下記の数学式により定められることを特徴とする請求項５に記載の方法。
【数１】
2005065298.tif 000010
(式中、ＣＮＴsch_intは、前記指定スケジューリング区間の区間番号であり、offsetは、上りリンクパケットデータサービスを提供する他の端末と可能なかぎり重複しないように設定される整数値であり、modは、２つのオペランド間の除算による余りを求める演算子であり、Ｔは、前記バッファー状態情報伝送周期または前記チャネル状態情報伝送周期であり、Ｔsch_intは前記スケジューリング区間長さである。)
【請求項７】
前記バッファー状態情報と前記チャネル状態情報の周期的な伝送を始めた後に、前記パケットデータの量が前記臨界値よりも小さくなると、前記バッファー状態情報と前記チャネル状態情報の周期的な伝送を中断するステップをさらに含むことを特徴とする請求項１に記載の方法。
【請求項８】
前記バッファー状態情報と前記チャネル状態情報の伝送を始めた後に、基地局から前記バッファー状態情報と前記チャネル状態情報伝送の中断を要請するメッセージが入力されると、前記バッファー状態情報と前記チャネル状態情報の周期的な伝送を中断するステップをさらに含むことを特徴とする請求項１に記載の方法。
【請求項９】
前記バッファー状態情報伝送周期は、前記チャネル状態情報伝送周期よりも長く設定されることを特徴とする請求項１に記載の方法。
【請求項１０】
前記使用者端末が少なくとも２個の基地局と通信しているソフトハンドオーバー中にあるときに、前記バッファー状態情報伝送周期は、前記チャネル状態情報伝送周期よりも長く設定されることを特徴とする請求項１に記載の方法。
【請求項１１】
前記チャネル状態情報伝送周期は、前記バッファー状態情報伝送周期よりも長く設定されることを特徴とする請求項１に記載の方法。
【請求項１２】
前記チャネル状態が長期フェーディングを克服しうるような長い周期の間の上りリンクチャネル状況の変化を反映する場合に、前記チャネル状態情報伝送周期は、前記バッファー状態情報伝送周期よりも長く設定されることを特徴とする請求項１に記載の方法。
【請求項１３】
前記バッファー状態情報伝送周期と前記チャネル状態情報伝送周期は、上りリンクパケットデータサービスの要求されるサービス品質、前記上りリンクパケットデータサービスを受信するための無線資源によって決定されることを特徴とする請求項１に記載の方法。
【請求項１４】
上りリンクパケットデータサービスを支援する移動通信システムにおいて、前記上りリンクパケットデータサービスのスケジューリングのために基地局が使用者端末からバッファー状態情報とチャネル状態情報を受信する方法であって、
相互に異なって設定されるバッファー状態情報受信周期とチャネル状態情報受信周期を獲得するステップと、
前記使用者端末から、バッファー状態情報とチャネル状態情報が初めて入力されるか否かを判断するステップと、
前記使用者端末から前記バッファー状態情報と前記チャネル状態情報が初めて入力されると、前記バッファー状態情報受信周期と前記チャネル状態情報受信周期にしたがって前記バッファー状態情報と前記チャネル状態情報を周期的に受信するステップと、
を含めてなることを特徴とする方法。
【請求項１５】
前記バッファー状態情報とチャネル状態情報が初めて入力されるか否かを判断するステップは、
前記使用者端末から前記バッファー状態情報を含むと推定される受信データと、該受信データの伝送エラー検出のためのサイクリック・リダンダンシー・コード(ＣＲＣ)を獲得するステップと、
前記ＣＲＣを検査した結果、前記受信データにエラーがなければ、前記バッファー状態情報と前記チャネル状態情報を受信するステップと、
を含むことを特徴とする請求項１４に記載の方法。
【請求項１６】
前記バッファー状態情報と前記チャネル状態情報は、所定のスケジューリング区間の割り当てられた伝送領域にそれぞれ載せられて受信され、前記バッファー状態情報受信周期と前記チャネル状態情報受信周期は、前記スケジューリング区間長さの整数倍であることを特徴とする請求項１４に記載の方法。
【請求項１７】
前記バッファー状態情報と前記チャネル状態情報はそれぞれ、このバッファー状態情報とチャネル状態が最初に受信された直後から、前記バッファー状態情報受信周期と前記チャネル状態情報受信周期の整数倍だけ離れたスケジューリング区間それぞれの割り当てられた伝送領域で受信されることを特徴とする請求項１６に記載の方法。
【請求項１８】
前記バッファー状態情報と前記チャネル状態情報は、前記バッファー状態情報と前記チャネル状態情報が最初に受信された後に、あらかじめ定められる最初の指定スケジューリング区間とこの最初の指定スケジューリング区間からそれぞれ前記バッファー状態情報受信周期と前記チャネル状態情報受信周期の整数倍だけ離れた指定スケジューリング区間それぞれの割り当てられた伝送領域で受信されることを特徴とする請求項１６に記載の方法。
【請求項１９】
前記バッファー状態情報または前記チャネル状態情報のための指定スケジューリング区間は、下記の数学式によって定められることを特徴とする請求項１８に記載の方法。
【数２】
2005065298.tif 000011
(式中、ＣＮＴsch_intは、前記指定スケジューリング区間の区間番号であり、offsetは、上りリンクパケットデータサービスを提供する他の端末と可能なかぎり重複しないように設定される整数値であり、modは、２つのオペランド間の除算による余りを求める演算子であり、Ｔは、前記バッファー状態情報受信周期または前記チャネル状態情報受信周期であり、Ｔsch_intは、前記スケジューリング区間長さである。)
【請求項２０】
以前バッファー状態情報とこの以前バッファー状態情報の後に受信されたパケットデータ量の差を用いて前記使用者端末のバッファー状態を推定するステップと、
この推定されたバッファー状態があらかじめ定められる所定の臨界値よりも小さい場合に、前記バッファー状態情報と前記チャネル状態情報の周期的な受信を中断するステップと、
をさらに含むことを特徴とする請求項１４に記載の方法。
【請求項２１】
前記使用者端末に前記バッファー状態情報と前記チャネル状態情報の伝送中断を要請するメッセージを送るステップをさらに含むことを特徴とする請求項２０に記載の方法。
【請求項２２】
前記バッファー状態情報受信周期は、前記チャネル状態情報受信周期よりも長く設定されることを特徴とする請求項１４に記載の方法。
【請求項２３】
前記使用者端末が前記基地局を含む少なくとも２個の基地局と通信しているソフトハンドオーバー中にあるときに、前記バッファー状態情報受信周期は、前記チャネル状態情報受信周期よりも長く設定されることを特徴とする請求項１４に記載の方法。
【請求項２４】
前記チャネル状態情報受信周期は、前記バッファー状態情報受信周期よりも長く設定されることを特徴とする請求項１４に記載の方法。
【請求項２５】
前記チャネル状態情報が長期フェーディング現象を克服しうるような長い周期の間の上りリンクチャネル状況の変化を反映する場合、前記チャネル状態情報受信周期は、前記バッファー状態情報受信周期よりも長く設定されることを特徴とする請求項１４に記載の方法。
【請求項２６】
前記バッファー状態情報受信周期と前記チャネル状態情報受信周期は、
上りリンクパケットデータサービスの要求されるサービス品質、前記上りリンクパケットデータサービスを受信するための前記基地局の無線資源によって決定されることを特徴とする請求項１４に記載の方法。
【請求項２７】
上りリンクパケットデータサービスを支援する移動通信システムにおいて、前記上りリンクパケットデータサービスのスケジューリングのために、使用者端末が伝送しようとするパケットデータを格納しているバッファーのバッファー状態情報と上りリンクの送信電力を表すチャネル状態情報を伝送する前記使用者端末の送信装置であって、
前記バッファーに格納されているパケットデータの量を、あらかじめ定められる所定の臨界値と比較し、前記バッファー状態情報と前記チャネル状態情報の伝送開始時点つまり、前記パケットデータの量が前記臨界値に到達する時点と伝送終了時点を決定する伝送開始及び終了決定器と、
相互に異なるバッファー状態情報伝送周期とチャネル状態情報伝送周期を獲得し、前記伝送開始時点から前記バッファー状態情報伝送周期と前記チャネル状態情報伝送周期に従うバッファー状態伝送時点とチャネル状態情報伝送時点をそれぞれ決定する伝送時点決定器と、
前記決定されたバッファー状態伝送時点で前記バッファー状態を周期的に伝送するバッファー状態送信器と、
前記決定されたチャネル状態情報伝送時点で前記チャネル状態情報を周期的に伝送するチャネル状態送信器と、
を含めてなることを特徴とする送信装置。
【請求項２８】
前記バッファー状態送信器は、
前記決定されたバッファー状態伝送時点で前記バッファー状態情報を受信するスイッチと、
前記バッファー状態情報に、前記バッファー状態の伝送エラー検出のためのサイクリック・リダンダンシー・コード(ＣＲＣ)を付加するＣＲＣ付加部と、
前記ＣＲＣの付加された前記バッファー状態を、チャネル符号化して伝送するチャネル符号化部と、
から構成されることを特徴とする請求項２７に記載の送信装置。
【請求項２９】
前記チャネル状態送信器は、
前記決定されたチャネル状態情報伝送時点で前記チャネル状態情報を受信するスイッチと、
前記チャネル状態情報をチャネル符号化して伝送するチャネル符号化部と、
から構成されることを特徴とする請求項２７に記載の送信装置。
【請求項３０】
前記バッファー状態送信器とチャネル状態送信器は、前記バッファー状態情報と前記チャネル状態情報を、所定のスケジューリング区間の割り当てられた伝送領域にそれぞれ載せて伝送し、前記バッファー状態情報伝送周期と前記チャネル状態情報伝送周期は、前記スケジューリング区間長さの整数倍であることを特徴とする請求項２７に記載の送信装置。
【請求項３１】
前記バッファー状態送信器とチャネル状態送信器は、前記伝送開始時点からそれぞれ前記バッファー状態情報伝送周期と前記チャネル状態情報伝送周期の整数倍だけ離れたスケジューリング区間で前記バッファー状態情報と前記チャネル状態情報を伝送することを特徴とする請求項３０に記載の送信装置。
【請求項３２】
前記バッファー状態送信器とチャネル状態送信器は、前記伝送開始時点の後に、それぞれあらかじめ定められる最初の指定スケジューリング区間とこの最初の指定スケジューリング区間からそれぞれ前記バッファー状態情報伝送周期と前記チャネル状態情報伝送周期の整数倍だけ離れた指定スケジューリング区間で、前記バッファー状態情報と前記チャネル状態情報を伝送することを特徴とする請求項３０に記載の送信装置。
【請求項３３】
前記各指定スケジューリング区間は、下記の数学式によって定められることを特徴とする請求項３２に記載の送信装置。
【数３】
2005065298.tif 000012
(式中、ＣＮＴsch_intは、前記指定スケジューリング区間の区間番号であり、offsetは、上りリンクパケットデータサービスを提供する他の端末と可能なかぎり重複しないように設定される整数値であり、modは、２つのオペランド間の除算による余りを求める演算子であり、Ｔは、前記バッファー状態情報受信周期または前記チャネル状態情報受信周期であり、Ｔsch_intは、前記スケジューリング区間長さである。)
【請求項３４】
前記伝送開始及び終了決定器は、
前記伝送開始時点の後に、前記パケットデータの量が前記臨界値よりも小さくなる時点を前記伝送終了時点と決定することを特徴とする請求項２７に記載の送信装置。
【請求項３５】
前記伝送開始及び終了決定器は、
前記伝送開始時点の後に、前記基地局から前記バッファー状態情報と前記チャネル状態情報伝送の中断を要請するメッセージが受信される時点を前記伝送終了時点と決定することを特徴とする請求項２７に記載の送信装置。
【請求項３６】
前記バッファー状態情報伝送周期は、前記チャネル状態情報伝送周期よりも長く設定されることを特徴とする請求項２７に記載の送信装置。
【請求項３７】
前記使用者端末が少なくとも２個の基地局と通信しているソフトハンドオーバー中にあるときに、前記バッファー状態情報伝送周期は、前記チャネル状態情報伝送周期よりも長く設定されることを特徴とする請求項２７に記載の送信装置。
【請求項３８】
前記チャネル状態情報伝送周期は、前記バッファー状態情報伝送周期よりも長く設定されることを特徴とする請求項２７に記載の送信装置。
【請求項３９】
前記チャネル状態情報が長期フェーディングを克服しうるような長い周期の間の上りリンクチャネル状況の変化を反映する場合に、前記チャネル状態情報伝送周期は、前記バッファー状態情報伝送周期よりも長く設定されることを特徴とする請求項２７に記載の送信装置。
【請求項４０】
前記バッファー状態情報伝送周期と前記チャネル状態情報伝送周期は、上りリンクパケットデータサービスの要求されるサービス品質、前記上りリンクパケットデータサービスを受信するための無線資源によって決定されることを特徴とする請求項２７に記載の送信装置。
【請求項４１】
上りリンクパケットデータサービスを支援する移動通信システムにおいて、基地局が前記上りリンクパケットデータサービスのスケジューリングのために使用者端末からバッファー状態情報とチャネル状態情報を受信する前記基地局の受信装置であって、
相互に異なるバッファー状態情報受信周期とチャネル状態情報受信周期を獲得し、前記バッファー状態情報と前記チャネル状態情報の受信開始時点から、異なる受信周期に従うバッファー状態情報受信時点とチャネル状態情報受信時点をそれぞれ決定する受信時点決定器と、
前記使用者端末から前記バッファー状態が最初に受信されるか判断し、前記バッファー状態が最初に受信される時点を前記受信開始時点と決定し、前記決定されたバッファー状態受信時点で前記バッファー状態を周期的に受信するバッファー状態受信器と、
前記決定されたチャネル状態受信時点で前記チャネル状態情報を周期的に受信するチャネル状態受信器と、
を含めてなることを特徴とする受信装置。
【請求項４２】
前記バッファー状態受信器は、
前記バッファー状態を含むと推定される受信データと前記受信データのサイクリック・リダンダンシー・コード(ＣＲＣ)を受信するとともに、前記受信開始時点以前には前記受信データを持続して通過させ、前記受信開始時点の後には前記決定されたバッファー状態受信時点で前記受信データを通過させるスイッチと、
前記ＣＲＣ検査により前記受信データにエラーがなければ、前記受信データを出力するＣＲＣ検査器と、
を含むことを特徴とする請求項４１に記載の受信装置。
【請求項４３】
前記チャネル状態受信器は、
前記決定されたチャネル状態受信時点で前記チャネル状態情報を含む受信データを受信するスイッチと、
前記受信データを復号し、この復号されたデータから前記チャネル状態情報を検出するチャネル復号化部と、
を含むことを特徴とする請求項４１に記載の受信装置。
【請求項４４】
前記バッファー状態受信器と前記チャネル状態受信器は、前記バッファー状態情報と前記チャネル状態を、所定のスケジューリング区間の割り当てられた伝送領域でそれぞれ受信し、前記バッファー状態情報受信周期と前記チャネル状態情報受信周期は、前記スケジューリング区間長さの整数倍であることを特徴とする請求項４１に記載の受信装置。
【請求項４５】
前記バッファー状態受信器と前記チャネル状態受信器は、前記バッファー状態情報及び前記チャネル状態情報を、前記受信開始時点からそれぞれ前記バッファー状態情報受信周期と前記チャネル状態情報受信周期の整数倍だけ離れたスケジューリング区間それぞれの割り当てられた伝送領域で受信することを特徴とする請求項４４に記載の受信装置。
【請求項４６】
前記バッファー状態受信器と前記チャネル状態受信器は、前記バッファー状態受信情報と前記チャネル状態受信情報を、前記受信開始時点の後に、あらかじめ定められる最初の指定スケジューリング区間とこの最初の指定スケジューリング区間からそれぞれ前記バッファー状態情報受信周期と前記チャネル状態情報受信周期の整数倍だけ離れた指定スケジューリング区間それぞれの割り当てられた伝送領域で受信することを特徴とする請求項４４に記載の受信装置。
【請求項４７】
前記指定スケジューリング区間は、下記の数学式によって定められることを特徴とする請求項４６に記載の受信装置。
【数４】
2005065298.tif 000013
(式中、ＣＮＴsch_intは、前記指定スケジューリング区間の区間番号であり、offsetは、上りリンクパケットデータサービスを提供する他の端末と可能なかぎり重複しないように設定される整数値であり、modは、２つのオペランド間の除算による余りを求める演算子であり、Ｔは、前記バッファー状態情報受信周期または前記チャネル状態情報受信周期であり、Ｔsch_intは、前記スケジューリング区間長さである。)
【請求項４８】
前記受信時点決定器は、
以前バッファー状態情報とこの以前バッファー状態情報の後に受信されたパケットデータ量の差を用いて前記使用者端末のバッファー状態を推定し、該推定されたバッファー状態があらかじめ定められる所定臨界値よりも小さくなる時点を、受信終了時点と決定することを特徴とする請求項４１に記載の受信装置。
【請求項４９】
前記受信時点決定器は、
前記受信終了時点で前記バッファー状態情報と前記チャネル状態情報の伝送中断を要請するメッセージが前記使用者端末に伝送されるように制御することを特徴とする請求項４８に記載の受信装置。
【請求項５０】
前記バッファー状態情報受信周期は、前記チャネル状態情報受信周期よりも長く設定されることを特徴とする請求項４１に記載の受信装置。
【請求項５１】
前記使用者端末が前記基地局を含む少なくとも２個の基地局と通信しているソフトハンドオーバー中にあるときに、前記バッファー状態情報受信周期は、前記チャネル状態情報受信周期よりも長く設定されることを特徴とする請求項４１に記載の受信装置。
【請求項５２】
前記チャネル状態情報受信周期は、前記バッファー状態情報受信周期よりも長く設定されることを特徴とする請求項４１に記載の受信装置。
【請求項５３】
前記チャネル状態情報が長期フェーディングを克服しうるような長い周期の間の上りリンクチャネル状況の変化を反映する場合、前記チャネル状態情報受信周期は、前記バッファー状態情報受信周期よりも長く設定されることを特徴とする請求項４１に記載の受信装置。
【請求項５４】
前記バッファー状態情報受信周期と前記チャネル状態情報受信周期は、
上りリンクパケットデータサービスの要求されるサービス品質、前記上りリンクパケットデータサービスを受信するための前記基地局の無線資源によって決定されることを特徴とする請求項４１に記載の受信装置。
【発明の詳細な説明】
【技術分野】
【０００１】
本発明は、移動通信システムに関し、特に、上りリンクを通してパケットデータを伝送するためのスケジューリング割当情報を效率よく送受信する方法及び装置に関する。
【背景技術】
【０００２】
非同期方式である広帯域符号分割多重接続(Wideband Code Division Multiple Access：以下、“ＷＣＤＭＡ”と称する。)通信システムでは、上りリンクを通した高速のパケットデータサービスを支援するために向上した逆方向専用チャネル(Enhanced Uplink Dedicated Channel：以下、“ＥＵＤＣＨ”と称する。)を使用する。このＥＵＤＣＨは、非同期符号分割多重接続通信システムにおいて逆方向パケット伝送の性能を改善するために提案されたチャネルである。このようなＥＵＤＣＨ技術は、高速順方向パケット接続方式(High Speed Downlink Packet Access：以下、“ＨＳＤＰＡ”と称する。)で使用されているＡＭＣ(Adaptive Modulation and Coding)及びＨＡＲＱ(Hybrid Automatic Retransmission Request)など既存の方法の他に、より短い伝送時間区間(transmission time interval：以下、“ＴＴＩ”と称する。)の新たな技術をも使用する。また、上りリンクチャネルに基地局(Ｎｏｄｅ Ｂ)制御スケジューリングが適用される。この上りリンクに対するＮｏｄｅ Ｂ制御スケジューリングは、下りリンクに対するスケジューリングと大きな違いを持つ。
【０００３】
複数個の使用者端末(以下、“ＵＥ”と称する。)が送信した上りリンク信号は、相互間に直交性が保持されないので、これらの上りリンク信号は相互間に干渉信号として作用する。このため、Ｎｏｄｅ Ｂが受信する上りリンク信号が増加するほど、特定ＵＥが伝送する上りリンク信号に対する干渉信号の量も増加し、前記Ｎｏｄｅ Ｂの受信性能が低下する問題を招く。このような問題は、上りリンク送信電力を増加させることで克服することができるが、この増加された送信電力を持つ上りリンク信号は、他の信号について干渉信号として作用する。したがって、前記Ｎｏｄｅ Ｂは、下記の数学式１に示すように、前記受信性能を保証しつつ受信可能な上りリンク信号の量を制限する。
【０００４】
【数１】
2005065298.tif 000003
【０００５】
式中、Ｉ＿０は、Ｎｏｄｅ Ｂの全体受信広帯域電力スペクトル密度(Power spectral density)を表し、Ｎ＿０は、Ｎｏｄｅ Ｂの熱雑音電力スペクトル密度を表す。したがって、ＲＯＴは、Ｎｏｄｅ ＢがＥＵＤＣＨパケットデータサービスを受信するために割り当て得る上りリンク無線資源となる。
【０００６】
図１Ａ及び図１Ｂは、Ｎｏｄｅ Ｂで割り当てる上りリンク無線資源の変化を示している。図１Ａ及び図１Ｂに示すように、Ｎｏｄｅ Ｂが割り当て得る上りリンク無線資源は、ＩＣＩ(Inter-cell interference)、音声トラヒック(Voice traffic)、及びＥＵＤＣＨパケットトラヒックの和で表される。
【０００７】
より詳細には、図１Ａは、Ｎｏｄｅ Ｂ制御スケジューリングを使用しない場合の総ＲＯＴ(Total ROT)の変化を示している。前記ＥＵＤＣＨパケットトラヒックに対してスケジューリングがなされないために、複数個のＵＥが同時に高いデータレートで前記パケットデータを伝送する場合に、総ＲＯＴは目標ＲＯＴ(Target ROT)よりも高くなり、前記上りリンク信号の受信性能の劣化につながる。
【０００８】
図１Ｂは、Ｎｏｄｅ Ｂ制御スケジューリングを使用する場合の総ＲＯＴの変化を示している。Ｎｏｄｅ Ｂ制御スケジューリングを使用すると、複数個のＵＥが同時に高いデータレートで前記パケットデータを伝送するのを防止することができる。すなわち、このＮｏｄｅ Ｂ制御スケジューリングは、特定のＵＥに高いデータレートを許容する場合にその他のＵＥには低いデータレートを許容することによって、総ＲＯＴが目標ＲＯＴ以上に増加するのを防止する。したがって、このＮｏｄｅ Ｂ制御スケジューリングによれば、常に一定の受信性能が保証される。
【０００９】
Ｎｏｄｅ Ｂは、前記ＥＵＤＣＨを使用するＵＥの要請データレートまたは上りリンクの送信品質を表すチャネル状況情報を用いて、これら各ＵＥ別にＥＵＤＣＨデータ伝送可否を通報したり、ＥＵＤＣＨデータレートを調整する。このＮｏｄｅ Ｂ制御スケジューリングは、移動通信システムの性能を向上させるために、これらＵＥにデータレートを割り当て、Ｎｏｄｅ Ｂの総ＲＯＴが目標ＲＯＴを越えないようにする。該Ｎｏｄｅ Ｂは遠くにあるＵＥには低いデータレートを割り当て、近くにあるＵＥには高いデータレートを割り当てることができる。
【００１０】
図２は、ＥＵＤＣＨに対するＮｏｄｅ Ｂ制御スケジューリングの基本概念を示している。図２の２００は、ＥＵＤＣＨを支援するＮｏｄｅ Ｂを表し、２１０ないし２１６はＥＵＤＣＨを使用するＵＥを表す。あるＵＥのデータレートが高くなると、Ｎｏｄｅ Ｂが前記ＵＥからデータを受信する受信電力が増加し、よって、前記ＵＥのＲＯＴは、総ＲＯＴにおいて多い部分を占めることになる。一方、その他のＵＥのデータレートが低くなると、Ｎｏｄｅ Ｂがこれら他のＵＥからデータを受信する受信電力が小さくなり、よって、これら他のＵＥのＲＯＴは、総ＲＯＴにおいて少ない部分を占めることになる。前記Ｎｏｄｅ Ｂは、データレートと無線資源間の関係、前記ＵＥが要請するデータレートを考慮して前記ＥＵＤＣＨパケットデータに対するスケジューリングを遂行する。
【００１１】
図２で、ＵＥ(２１０，２１２，２１４，２１６)は、距離にしたがってＮｏｄｅ Ｂ ２００と相互に異なる逆方向送信電力でパケットデータを送信している。すなわち、Ｎｏｄｅ Ｂ ２００から最も遠くにあるＵＥ ２１０は、最も高い逆方向チャネルの送信電力２２０でパケットデータを送信し、Ｎｏｄｅ Ｂ ２００と最も近くにあるＵＥ ２１４は、最も低い逆方向チャネルの送信電力２２４でパケットデータを送信する。Ｎｏｄｅ Ｂ ２００は、総ＲＯＴを保持しながら他のセルに対するＩＣＩを減らし、かつ、移動通信システムの性能を向上させるために、逆方向チャネルの送信電力の強さとデータレートが反比例するようにスケジューリングを遂行することから、逆方向チャネルの送信電力が最も高いＵＥ ２１０に対しては相対的に小さいデータレートを割り当て、逆方向チャネルの送信電力が最も低いＵＥ ２１４に対しては相対的に高いデータレートを割り当てる。
【００１２】
図３は、ＵＥがＮｏｄｅ ＢからＥＵＤＣＨパケットデータ伝送のためのデータレートを受け、この割り当てられたデータレートを用いて前記パケットデータを伝送する動作を示している。図３を参照すると、ステップＳ３１０で、Ｎｏｄｅ Ｂ(３００)とＵＥ ３０２との間にＥＵＤＣＨが設定される。このステップＳ３１０は、専用伝送チャネル(Dedicated Transport Channel)を通したメッセージの送受信処理を含む。ステップＳ３１２で、ＵＥ ３０２は、Ｎｏｄｅ Ｂ(３００)に望むデータレート、バッファー状態、上りリンクチャネル状況に関連する情報などを伝送する。この上りリンクチャネル状況に関連する情報は、上りチャネル送信電力と送信電力マージンなどを含む。
【００１３】
このＮｏｄｅ Ｂ(３００)は、上りチャネルの送信電力と受信電力とを比較して順方向チャネル状況を推定する。すなわち、上りチャネル送信電力と上りチャネル受信電力との差が小さければ、逆方向チャネル状況は良好であり、送信電力と受信電力との差が大きければ、逆方向チャネル状況は不良である。前記ＵＥが送信電力マージンのみを伝送する場合に、Ｎｏｄｅ Ｂ(３００)は、この送信電力マージンを、既に知っているＵＥの最大可能送信電力から引くことによって前記上りリンク送信電力を推定する。前記Ｎｏｄｅ Ｂ(３００)は、前記推定したＵＥのチャネル状況とＵＥ ３０２が所望するデータレートに関する情報に基づいて、前記ＵＥの上りリンクパケットチャネルのための最大可能データレートを決定する。
【００１４】
この決定された最大可能データレートは、ステップＳ３１４で、スケジューリング割当情報によりＵＥ ３０２に通報される。このＵＥ ３０２は、通報された最大可能データレートの範囲内で、伝送するパケットデータのデータレートを決定し、ステップＳ３１６で、前記決定されたデータレートでＮｏｄｅ Ｂ(３００)に前記パケットデータを伝送する。
【００１５】
ＥＵＤＣＨデータバッファーに格納されている全てのパケットデータをＮｏｄｅ Ｂに伝送するために、ＵＥ ３０２は、Ｎｏｄｅ Ｂ(３００)からスケジューリング割当情報を一定周期単位に受信しなければならない。このために、前記ＵＥ ３０２は、前記バッファー状態情報と上りリンクチャネル状態(Channel Status Information：ＣＳＩ)を、所定のスケジューリング区間(Scheduling Interval)ごとに連続して前記Ｎｏｄｅ Ｂ(３００)に伝送するが、こうすると、上りリンクシグナリングのオーバーヘッドを招き、上りリンクパケット伝送の効率低下につながってしまう。そこで、前記上りリンクシグナリングのオーバーヘッドを有効に防止しうるスケジューリング方案が望まれている。
【発明の開示】
【発明が解決しようとする課題】
【００１６】
上記事情に鑑みて、本発明の目的は、上りリンクパケット伝送のための上りリンクシグナリングオーバーヘッドを減らす方法及び装置を提供することにある。
【００１７】
本発明の他の目的は、シグナリングオーバーヘッドを減らすために、上りリンクを通して伝送するバッファー状態情報とＣＳＩの伝送周期を調節する方法及び装置を提供することにある。
【００１８】
本発明のさらに他の目的は、バッファー状態情報とＣＳＩの伝送周期を調節することによって、上りリンクパケットを效率よく伝送する方法及び装置を提供することにある。
【００１９】
本発明のさらに他の目的は、バッファー状態情報とＣＳＩの伝送周期を調節することによって、無線資源を效率よく使用する方法及び装置を提供することにある。
【課題を解決するための手段】
【００２０】
上記の目的を達成するための本発明は、上りリンクパケットデータサービスを支援する移動通信システムにおいて、前記上りリンクパケットデータサービスのスケジューリングのために使用者端末が伝送しようとするパケットデータを格納しているバッファーのバッファー状態情報と上りリンクの送信電力を表すチャネル状態情報を伝送する方法であって、相互に異なって設定されるバッファー状態情報伝送周期とチャネル状態伝送周期を獲得するステップと、前記バッファーに格納されているパケットデータの量が、あらかじめ定められる所定の臨界値以上であれば、前記バッファー状態情報とチャネル状態情報の伝送を始めるステップと、前記バッファー状態情報と前記チャネル状態情報の伝送を始めた後に、前記バッファー状態情報伝送周期と前記チャネル状態情報伝送周期にしたがって前記バッファー状態情報と前記チャネル状態情報を周期的に伝送するステップと、を含めてなることを特徴とする。
【００２１】
また、上記の目的を達成するための本発明は、上りリンクパケットデータサービスを支援する移動通信システムにおいて、前記上りリンクパケットデータサービスのスケジューリングのために基地局が使用者端末からバッファー状態情報とチャネル状態情報を受信する方法であって、相互に異なって設定されるバッファー状態情報受信周期とチャネル状態情報受信周期を獲得するステップと、前記使用者端末から、バッファー状態情報とチャネル状態情報が初めて入力されるか判断するステップと、前記使用者端末から前記バッファー状態情報と前記チャネル状態情報が初めて入力されると、前記バッファー状態情報受信周期と前記チャネル状態情報受信周期にしたがって前記バッファー状態情報と前記チャネル状態情報を周期的に受信するステップと、を含めてなることを特徴とする。
【発明の効果】
【００２２】
本発明によれば、端末機が、端末機バッファーに待機中のデータ量が所定の臨界値以上である場合、基地局制御スケジューリングのために必要な情報であるバッファー状態情報とＣＳＩ情報を異なる周期で伝送するので、上りリンクパケットデータ伝送のためのシグナリングオーバーヘッドを減少させることができ、結果として、ＥＵＤＣＨ移動通信システムに使用される無線資源を效率よく使用することが可能となる。
【発明を実施するための最良の形態】
【００２３】
以下、本発明が好ましい実施形態について、添付図面を参照しつつ詳細に説明する。なお、本発明を説明するにあたり、関連する公知機能や構成についての具体的な説明が、本発明の要旨を曖昧にするのを避けるために、その詳細な説明は省略する。
【００２４】
本発明では、広帯域符号分割多重接続通信システムにおいて高速の上りリンクパケットデータサービスのための向上した上りリンク専用伝送チャネル(ＥＵＤＣＨ)のＮｏｄｅ Ｂ制御スケジューリングのために、ＵＥからＮｏｄｅ Ｂに伝送されるバッファー状態情報とＣＳＩの伝送周期をそれぞれ異なって設定し、これら設定された伝送周期にしたがって前記バッファー状態情報とＣＳＩを伝送する。Ｎｏｄｅ Ｂの無線資源を制御するＲＮＣ(Radio Network Controller)は、ＥＵＤＣＨサービスのために要求されるサービス品質、上りリンクのＲＯＴ状況、ＵＥのハンドオーバー状況を考慮して前記バッファー状態情報とＣＳＩの伝送周期をそれぞれ設定する。
【００２５】
図４は、ＥＵＤＣＨサービスを支援するＵＥの送信機構造を示している。このＵＥにおいて、逆方向物理チャネルは、専用物理データチャネル(Dedicated Physical Data Channel：ＤＰＤＣＨ)、ＥＵＤＣＨサービスのための専用物理データチャネル(ＥＵ−ＤＰＤＣＨ)、専用物理制御チャネル(Dedicated Physical Control Channel：ＤＰＣＣＨ)、ＨＳＤＰＡサービスのための専用物理制御チャネル(High Speed DPDCH：ＨＳ-ＤＰＣＣＨ)、ＥＵＤＣＨサービスのための専用物理制御チャネル(ＥＵ−ＤＰＣＣＨ)などを使用する。
【００２６】
ＥＵ−ＤＰＣＣＨは、ＥＵＤＣＨサービスのための物理制御チャネルであって、ＵＥのバッファー状態情報と、Ｎｏｄｅ Ｂが上りリンクチャネル状況を推定する上で必要とされる上りリンク送信電力及び上りリンク送信電力マージンなどを含むチャネル状態情報(Channel State Information：ＣＳＩ)を伝送する。また、このＥＵ−ＤＰＣＣＨは、前記ＥＵ−ＤＰＤＣＨのためのデータ大きさ、符号率、変調方式などの伝送フォーマットを表すパケットデータ伝送フォーマット因子(Transport Format and Resource Indicator：Ｅ−ＴＦＲＩ)を伝送する。該ＥＵ−ＤＰＤＣＨは、Ｎｏｄｅ Ｂから入力されたスケジューリング割当情報に基づいて決定されたデータレートを使ってパケットデータを伝達する。前記ＤＰＤＣＨは、ＢＰＳＫ(Binary Phase Shift Keying)変調方式のみを支援するが、前記ＥＵ−ＤＰＤＣＨは、同時に伝送する拡散コードの数を保持しながらデータレートを上げるために、このＢＰＳＫだけでなく、ＱＰＳＫ(Quadrature Phase Shift Keying)、８ＰＳＫ(8-ary PSK)などの上位変調方式をも支援可能である。
【００２７】
ＥＵＤＣＨ伝送制御器(EUDCH transmission controller)４０４は、ＥＵＤＣＨに伝送するデータが格納されているＥＵＤＣＨデータバッファー４００をモニタリングして、前記Ｎｏｄｅ Ｂ制御スケジューリングのために必要なバッファー状態情報を得、また、上りリンク送信経路(図示せず)からＣＳＩを得る。また、このＥＵＤＣＨ伝送制御器４０４は、前記ＥＵＤＣＨのためのパケットデータ伝送フォーマットを表すＥ−ＴＦＲＩを決定する。このパケットデータ伝送フォーマットは、スケジューリング割当部４０２で許容する最大データレートによって決定される。そして、このＥＵＤＣＨ伝送制御器４０４は、前記バッファー状態情報、ＣＳＩ、及び前記Ｅ−ＴＦＲＩなどを含むＥＵ−ＤＰＣＣＨのデータを生成して乗算器４０８に入力する。
【００２８】
ＤＰＤＣＨのデータは、拡散器(spreader)４２２においてＤＰＤＣＨに割り当てられたＯＶＳＦ(Orthogonal Variable Spreading Factor)コードＣｄを用いてチップレートで拡散され、利得調整器(gain adjuster)４２４でチャネル利得βｄとかけられた後に、合算器４２６に入力される。このＥＵ−ＤＰＣＣＨのデータは、拡散器４０８でＥＵ−ＤＰＣＣＨに割り当てられたＯＶＳＦコードＣｃ，ｅｕ を用いてチップレートで拡散され、利得調整器４１０でチャネル利得βｃ，ｅｕとかけられた後に、前記合算器４２６に入力される。該合算器４２６は、前記利得調整器４２４，４１０の出力データを合算した後にＩチャネルに割り当てるために合算器４２０に入力する。
【００２９】
前記ＥＵＤＣＨパケット伝送器４０６は、前記パケットデータ伝送フォーマットにより指定された量だけのパケットデータを前記ＥＵＤＣＨデータバッファー４００から読み出し、このパケットデータ伝送フォーマットにしだかってチャネルコーディングを遂行することによってＥＵ−ＤＰＤＣＨデータを生成する。変調マッピング器(Modulation Mapper)４１２は、前記ＥＵ−ＤＰＤＣＨデータに対してＢＰＳＫ、ＱＰＳＫまたは８ＰＳＫで変調を遂行し、ＥＵ−ＤＰＤＣＨ変調シンボルストリームを出力する。ここで、ＢＰＳＫが使用される場合に前記変調シンボルは実数値を持つが、ＱＰＳＫや８ＰＳＫが使用される場合に、これら変調シンボルは複素値を持つ。下記には、前記ＥＵ−ＤＰＤＣＨに対してＱＰＳＫ、８ＰＳＫを使用する場合について説明する。
【００３０】
前記変調マッピング器４１２は、前記ＥＵ−ＤＰＤＣＨデータを複素数シンボルストリームに変換した後に、拡散器４１４へ伝達する。該拡散器４１４は、この変調シンボルストリームを、ＥＵ−ＤＰＤＣＨに割り当てられたＯＶＳＦコードｃｄ，ｅｕによりチップレートで拡散する。この拡散器４１４の出力は、利得調整器４１８でチャネル利得βｄ，ｅｕとかけられた後に、合算器４２０に入力される。
【００３１】
ＤＰＤＣＨの制御情報を表すＤＰＣＣＨデータは、拡散器４２８で、ＤＰＣＣＨに割り当てられたＯＶＳＦコードｃｃを用いてチップレートで拡散され、利得調整器４３０でチャネル利得βｃとかけられる。この利得調整器４３０の出力データは、合算器４３６に入力される。また、ＨＳＤＰＡサービスのための制御情報を含むＨＳ-ＤＰＣＣＨデータは、拡散器４３２で、ＨＳ-ＤＰＣＣＨに割り当てられたＯＶＳＦコードｃＨＳを用いてチップレートで拡散され、利得調整器４３４でチャネル利得βＨＳとかけられた後に、前記合算器４３６に入力される。該合算器４３６は、利得調整器４３０，４３４の出力データを合算した後に、Ｑチャネルに割り当てるために位相変換器(Phase adjuster)４３８に入力する。
【００３２】
合算器４２０は、前記合算器４２６の出力に前記利得調整器４１８と前記位相変換器４３８の出力を合算して生成した複素シンボルストリームを、スクランブラー(scrambler)４４２に伝達する。該スクランブラー４４２は、この複素シンボルストリームをスクランブリングコードＳｄｐｃｈ，ｎを用いてスクランブリングする。このスクランブリングされた複素シンボルストリームは、パルス形成器(Pulse Shaping Filter)４４４でパルス形態に変換された後に、ＲＦ(Radio Frequency)ユニット４４６を経てアンテナ４４８からＮｏｄｅ Ｂに伝達される。
【００３３】
図５Ａは、ＥＵＤＣＨスケジューリング割当情報を伝送するためのスケジューリング制御チャネル(Scheduling Control Channel：ＥＵ−ＳＣＨＣＣＨ)の構造を示す図であり、図５Ｂは、スケジューリング制御チャネル送信器の構造を示す図である。このスケジューリング制御チャネルは、一つのＯＶＳＦコードを使って、複数個のＵＥにスケジューリング許容／解除メッセージ(Scheduling Grant／Release Message)と許容された最大データレート(allowed max data rate)とを含むスケジューリング割当情報５００を伝送する。このスケジューリング許容／解除メッセージは、前記ＥＵＤＣＨパケットデータが伝送されるか否かを表すものである。また、前記スケジューリング割当情報５００は、前記スケジューリング許容／解除メッセージと前記許容された最大データレートが適用されるＵＥを表すＵＥ識別子(UE ID)を含む。
【００３４】
このスケジューリング割当情報５００を含むＥＵ−ＳＣＨＣＣＨデータは、直／並列変換器５１０で並列シンボルストリームに変換された後に、変調マッピング器５１２に伝えられる。該変調マッピング器５１２は、前記シンボルストリームをＩ、Ｑストリームに変換した後に、拡散器５１４，５１６にそれぞれ伝達する。これらの拡散器５１４，５１６は、前記Ｉ、ＱストリームをＥＵ−ＳＣＨＣＣＨに割り当てられたＯＶＳＦコードｃsch_contによりチップレートで拡散する。この拡散器５１６から伝えられたＱストリームは、位相変換器５１８で位相変化量ｊとかけられた後に、合算器５２０に伝えられる。該合算器５２０は、利得調整器５１４と位相変換器５１８の出力を合算して生成した複素シンボルストリームを、スクランブラー５２２に伝達する。該スクランブラー５２２は、この複素シンボルストリームをスクランブリングコードＳsch,contを用いてスクランブリングする。このスクランブリングされた複素シンボルストリームは、パルス形成器５２４でパルス形態に変換された後に、ＲＦユニット５２６を経てアンテナ５２８からＵＥに伝えられる。
【００３５】
図６は、典型的なＥＵＤＣＨシステムにおいて、ＵＥからＮｏｄｅ Ｂにバッファー状態情報とＣＳＩを連続して伝送し、このＮｏｄｅ Ｂは前記ＵＥにスケジューリング割当情報を伝送する動作を示している。このＵＥは、Ｎｏｄｅ Ｂからスケジューリング割当情報を受信すべく、前記バッファー状態情報とＣＳＩを一定の時間(スケジューリング区間：Ｔsch_int)ごとに伝送する。
【００３６】
図６を参照すると、６００時点で、ＵＥのＥＵＤＣＨデータバッファーに、Ｎｏｄｅ Ｂに伝送すべきパケットデータが格納(生成)される。このＵＥは、６０２区間で、前記データバッファーのデータ量を表すバッファー状態情報と、上りリンクの送信電力及び電力マージンを表すＣＳＩとを前記Ｎｏｄｅ Ｂに伝送する。このＮｏｄｅ Ｂは、前記バッファー状態情報とＣＳＩに基づいて前記ＵＥに割り当てる最大データレートを決定し、この決定された最大データレートをスケジューリング割当情報によって６１０区間で前記ＵＥに通報する。
【００３７】
前記ＥＵＤＣＨデータバッファーに格納されているパケットデータを、一度の伝送で前記Ｎｏｄｅ Ｂに全て伝送不可能である場合に、前記ＵＥは、前記Ｎｏｄｅ Ｂにスケジューリング割当を継続して要求すべく、６０２区間ないし６０６区間に示すように、前記バッファー状態情報とＣＳＩをスケジューリング区間(Ｔsch_int)間隔で連続して伝送する。前記６０６時点の後にはＥＵＤＣＨデータバッファーに格納されているパケットデータを完全に伝送したので、前記ＵＥは、バッファー状態情報とＣＳＩの伝送を中断する。このＮｏｄｅ Ｂは、たとえ前記ＵＥからバッファー状態情報とＣＳＩが伝達されても、ＲＯＴ条件が合わないと、６１２区間に示すように前記スケジューリング割当情報を伝送しない。
【００３８】
ここで、バッファー状態情報とＣＳＩは、毎スケジューリング区間ごとに伝送されるが、こうすると、上りリンクオーバーヘッドが大きく増加して上りリンクトラヒック容量が減少することになる。そこで、本発明の好ましい実施形態では、前記バッファー状態情報とＣＳＩに対してそれぞれ個別的に設定された伝送周期を使用する。バッファー状態情報とＣＳＩに対して相互に異なる伝送周期を設定する理由は、下記の通りである。
【００３９】
まず、上りリンク(Uplink：ＵＬ)電力制御の観点から説明する。
Ｎｏｄｅ Ｂは、ＵＥから送られてくる上りリンク信号を持続して測定し、この測定結果に基づいてこのＵＥに上りリンク電力制御(Uplink Transmit Power Control：ＵＬ ＴＰＣ)命令を伝送する。このＵＥは、前記Ｎｏｄｅ Ｂから前記ＴＰＣ命令を受信し、このＴＰＣ命令が送信電力減少の命令であれは、下りリンク送信電力を減少させ、ＴＰＣ命令が送信電力増加の命令であれば、下りリンク送信電力を増加させる。したがって、Ｎｏｄｅ Ｂは、ＵＥからのＣＳＩが受信されない区間において、下記の数学式２によりＵＥの送信電力を推定することができる。
【００４０】
【数２】
2005065298.tif 000004
【００４１】
ここで、Transmit_power_estは、ＵＥの伝送電力推定値を表し、CSI_prevは、以前に受信したＵＥの送信電力情報を表す。up_countは、このCSI_prevを受信した後に送信電力を増加させるように命令した回数を表し、down_coumtは、このCSI_prevを受信した後に送信電力を減少させるように命令した回数を表す。power_control_step_sizeは、一回の命令により減少または増加される送信電力の単位量を表す。上記の数学式２に示すように、前記Ｎｏｄｅ Ｂは、以前に受信したＵＥの伝送パワーとＮｏｄｅ Ｂが命令した送信電力に関する命令を用いて、このＵＥの現在伝送電力を推定する。しかしながら、前記ＵＥがソフトハンドオーバー領域にある場合に、上記の数学式２は適用不可能である。これについて、図７を参照して詳細に説明する。
【００４２】
図７は、ソフトハンドオーバー領域に位置しているＵＥの上りリンク電力制御動作を示している。このハンドオーバー領域に位置しているＵＥ ７２０は、このハンドオーバー領域に関連した少なくとも２個の活性Ｎｏｄｅ Ｂ(ここでは、３個の活性Ｎｏｄｅ Ｂ ７１０，７１２，７１４)にデータを伝送する。これら活性Ｎｏｄｅ Ｂ ７１０，７１２，７１４は、前記ＵＥから送られてくるデータを受信し、該受信されたデータを復調してＲＮＣ ７００に伝達する。この方式によれば、前記活性Ｎｏｄｅ Ｂ ７１０，７１２，７１４のうち、前記受信されたデータを誤りなく復調した活性Ｎｏｄｅ Ｂが、この復調したデータをＲＮＣ ７００に伝送するようにし、よって、マクロ選択ダイバーシティ(macro selection diversity)利得を得ることができる。
【００４３】
前記ＵＥ ７２０は、前記活性Ｎｏｄｅ Ｂ(７１０，７１２，７１４)から３個の下りリンク電力制御(ＴＰＣ)命令を受信する。このＵＥ ７２０は、これら３個のＴＰＣ命令のうち一つでも送信電力減少命令であれば、送信電力を減少させる。また、３個のＴＰＣ命令が全て送信電力増加命令であれば、前記ＵＥ ７２０は送信電力を増加させる。
【００４４】
ところが、各活性Ｎｏｄｅ Ｂは、他の活性Ｎｏｄｅ Ｂが伝送した電力制御命令についての知識がないので、各活性Ｎｏｄｅ Ｂが前記数学式２により推定した前記ＵＥ ７２０の送信電力は、このＵＥ ７２０の実際送信電力と違いを持つことになる。したがって、活性Ｎｏｄｅ Ｂ(７１０，７１２，７１４)が前記ハンドオーバー領域にあるＵＥ ７２０の伝送電力を正確に認知しうるようにするためには、このＵＥ ７２０がより短いＣＳＩの伝送周期を使用する必要がある。
【００４５】
一方、ＵＥからバッファー状態情報が報告されない区間で、Ｎｏｄｅ Ｂは、前記ＵＥから以前に報告されたバッファー状態を用いて、下記の数学式３のようにそのＵＥのバッファー状態を推定する。
【００４６】
【数３】
2005065298.tif 000005
【００４７】
ここで、Buffer_state_estは、バッファー状態推定値を表し、Buffer_state_prevは、以前に受信したバッファー状態値を表す。Data_sentは、Buffer_state_prevを受信した後に前記ＵＥから受信したデータ量を意味するものであって、このＵＥから受信したＥ−ＴＦＲＩ値を用いて獲得する。このＥ−ＴＦＲＩは、ＥＵ−ＤＰＤＣＨのデータ大きさ、符号率及び変調方式などを表すので、前記データ大きさにより、前記ＵＥから入力されたデータ量を測定することができる。このＥ−ＴＦＲＩは、パケットデータの受信性能を高めるために、通常、前記電力制御命令よりも低い受信エラーレートを持つように設定される。したがって、Ｎｏｄｅ ＢによるＵＥのバッファー状態推定値は、伝送電力推定値に比べて高い信頼度を持ち、これにより、前記バッファー状態情報伝送周期は、ＣＳＩ伝送周期よりも長くなることができる。
【００４８】
図８は、本発明の一実施の形態によってＲＮＣでバッファー状態情報伝送周期とＣＳＩ伝送周期を設定する動作を示している。
【００４９】
ステップＳ８００で、ＲＮＣは、ＲＯＴ条件とＥＵＤＣＨサービスのために要求されるサービス品質(ＱｏＳ)を考慮して、前記ＥＵＤＣＨサービスを要請するＵＥのためのバッファー状態情報伝送周期(Ｔbuffer)を決定する。ここで、ＲＯＴ条件は、測定ＲＯＴが、あらかじめ定められる目標ＲＯＴを超過するか否かを表す。ステップＳ８０２で、ＲＮＣは、前記ＵＥがハンドオーバー領域に位置しているか判断する。この判断結果、前記ＵＥがハンドオーバー領域に位置していれば、ステップＳ８０４に移行し、前記ＵＥがハンドオーバー領域に位置していなければ、ステップＳ８０６に移行する。
【００５０】
ステップＳ８０４で、ＲＮＣは、前記ＵＥのためのＣＳＩ伝送周期(ＴCSI)をスケジューリング区間長さ(Ｔsch_int)と同一に設定する。一方、ステップＳ８０６で、ＲＮＣは、前記ＣＳＩ伝送周期(ＴCSI)を、下記の数学式４により計算する。
【００５１】
【数４】
2005065298.tif 000006
【００５２】
【数５】
2005065298.tif 000007
は、Ａ以下の最大整数を求める関数である。 Ｐe,E-TFRIは、Ｅ−ＴＦＲＩの要求される受信エラーレートであり、Ｐe,TPCは、ＵＥに伝送される電力制御(ＴＰＣ)命令の要求される受信エラーレートである。上記の数学式４からわかるように、ＣＳＩ伝送周期(ＴCSI)は、前記Ｅ−ＴＦＲＩの受信エラーレートとＵＥに伝送される電力制御命令の受信エラーレートによってバッファー状態情報伝送周期(Ｔbuffer)よりも小さく設定される。ＲＮＣは、このバッファー状態情報伝送周期(Ｔbuffer)と前記ＣＳＩ伝送周期(ＴCSI)を、ＲＲＣ(Radio Resource Control)シグナリングメッセージを用いて前記ＵＥに伝達し、ＮＢＡＰ(Node B Application Part)シグナリングを用いて前記Ｎｏｄｅ Ｂに伝送する。
【００５３】
上述の例では、バッファー状態情報伝送周期がＣＳＩ伝送周期よりも長く設定されているが、ＣＤＭＡシステムにおいてフェーディング現象による一時的なチャネル変化は電力制御によりある程度克服されている点を考慮すれば、Ｎｏｄｅ Ｂ制御スケジューリングは、地形的な影響などによるシャドー(shadowing)などの長期フェーディング(long term fading)現象、すなわち、長い時間の間の平均的なチャネル状況の変化を考慮してなされることができる。この場合、前記ＣＳＩは、長い時間の間の平均的なチャネル状況を反映し、この結果、ＴCSIはＴbufferよりも長く設定されることができる。
【００５４】
以上では、ＣＳＩ伝送周期がバッファー状態情報伝送周期よりも短くなる場合と、ＣＳＩ伝送周期がバッファー状態情報伝送周期よりも長くなる例について説明したが、本発明は、この例に限定されてはいけなく、ＣＳＩ伝送周期とバッファー状態情報伝送周期を場合によって相互に異なって設定するものとして理解されるべきである。
【００５５】
次に、バッファー状態情報伝送周期とＣＳＩ伝送周期を相互に異なって設定する場合、各伝送周期にしたがってバッファー状態情報とＣＳＩを伝送するための具体的な動作及びシステム構造について詳細に説明する。
【００５６】
図９は、本発明の実施形態によってＵＥから伝送するバッファー状態情報とＣＳＩとを含むコードブロックを示す図である。図９に示すように、バッファー状態情報とＣＳＩは一つのスケジューリング区間で伝送される。ここで、一つのスケジューリング区間は１０ｍｓである。このバッファー状態情報伝送周期とＣＳＩ伝送周期を異ならせるために、ＵＥは、バッファー状態情報とＣＳＩをそれぞれ別個のコーディングチェーン(Coding Chain)を経てチャネル符号化する。すなわち、バッファー状態情報は、ＣＲＣ(Cyclic Redundancy Check)ビットが付加された後にチャネル符号化され、ＣＳＩは、ＣＲＣビット付加なしでチャネル符号化される。したがって、前記Ｎｏｄｅ Ｂは、ＣＲＣチェックを通じてバッファー状態情報が受信されたことを認識する。ＣＳＩは、バッファー状態情報の後段に位置して伝送されるので、このＣＳＩの受信は、前記バッファー状態の受信されたか否かによって確認することができる。
【００５７】
本発明の好ましい実施形態において、ＵＥは下記のように動作する。
１．ＥＵＤＣＨデータバッファーに格納されたパケットデータの量が、スケジューリングのための所定の臨界値以上であれば、ＵＥは、Ｎｏｄｅ Ｂにバッファー状態情報及びＣＳＩを伝送し始める。
２．ＵＥは、バッファー状態情報及びＣＳＩ伝送開始の後に、あらかじめ設定された伝送周期(ＲＮＣがＵＥへ通報した伝送周期)にしたがってバッファー状態情報とＣＳＩを繰り返し伝送する。上述の如く、前記バッファー状態情報とＣＳＩは、異なる伝送周期で伝送される。
３．ＥＵＤＣＨデータバッファーのパケットデータ量が臨界値未満と減少すれば、ＵＥはバッファー状態情報及びＣＳＩ伝送を中断する。また、Ｎｏｄｅ Ｂから、このＮｏｄｅ Ｂ制御スケジューリングが中断されたことを表すスケジューリング解除メッセージが伝えられる場合にも、バッファー状態情報及びＣＳＩ伝送を中断する。
【００５８】
また、Ｎｏｄｅ Ｂは下記のように動作する。
１．Ｎｏｄｅ Ｂは、ＵＥからバッファー状態情報が伝えられるか否かを判断するために、ＥＵ−ＤＰＣＣＨのＣＲＣチェックを継続して遂行する。このＣＲＣチェックにより、いずれか一つのスケジューリング区間で前記バッファー状態を検出すれば、そのスケジューリング区間のバッファー状態情報の後段でＣＳＩを受信する。
２．Ｎｏｄｅ Ｂは、バッファー状態情報とＣＳＩを初めて受信すれば、あらかじめ設定された受信周期(ＲＮＣがＮｏｄｅ Ｂへ通報した受信周期)にしたがって、指定されたスケジューリング区間でバッファー状態情報とＣＳＩを受信する。上述の如く、このバッファー状態情報が受信されるスケジューリング区間は、前記ＣＳＩが受信されるスケジューリング区間と一致しないこともある。Ｎｏｄｅ Ｂは、前記バッファー状態情報とＣＳＩに基づいてスケジューリング割当情報を生成する。
３．Ｎｏｄｅ Ｂは、上記の数学式３により、前記ＵＥのＥＵＤＣＨデータバッファーに格納されているパケットデータの量を推定し、この推定値が所定の臨界値以下であると判断される場合には前記バッファー状態情報とＣＳＩの受信を中断する。
４．他の場合には、Ｎｏｄｅ Ｂは、バッファー状態情報とＣＳＩ伝送を中断させるために、前記ＵＥへスケジューリング解除メッセージを送る。
【００５９】
図１０は、本発明の好ましい実施形態に従うＵＥとＮｏｄｅ Ｂ間のスケジューリング割当のためのＥＵ−ＤＰＣＣＨシグナリングの例を示している。ここで、ＣＮＴsch_intは、スケジューリング区間を区別するスケジューリング区間番号(index)であり、各スケジューリング区間は、バッファー状態情報を伝送するための領域とＣＳＩを伝送するための領域を含む。
【００６０】
ＣＮＴsch_int＝１０の１０１０区間でＵＥは、ＥＵＤＣＨデータバッファーに格納されているパケットデータの量がスケジューリングのための臨界値を超過することを認知し、Ｎｏｄｅ Ｂにバッファー状態情報とＣＳＩを初めて伝送する。続いて、ＵＥは、バッファー状態情報とＣＳＩをそれぞれバッファー状態情報伝送周期とＣＳＩ伝送周期にしたがって周期的にＮｏｄｅ Ｂへ伝送する。このバッファー状態の伝送周期は８倍のスケジューリング区間長さ(Ｔsch_int)であるので、バッファー状態情報は、ＣＮＴsch_intが１０、１８、２６の区間(１０１０，１０１４，１０１８)で伝送され、ＣＳＩの伝送周期は４倍のスケジューリング区間長さであるので、ＣＳＩは、ＣＮＴsch_intが１０、１４、１８、２２、２６の区間(１０１０，１０１２，１０１４，１０１６，１０１８)で伝送される。
【００６１】
前記Ｎｏｄｅ Ｂはバッファー状態情報とＣＳＩを初めて受信した後に、ＲＮＣから通報されたバッファー状態情報とＣＳＩの受信周期にしたがって前記ＵＥからバッファー状態情報とＣＳＩを周期的に受信する。１０００及び１００２区間で、前記Ｎｏｄｅ Ｂは、最も最近に報告されたバッファー状態情報、ＣＳＩ及びＲＯＴ状況を考慮してスケジューリング割当情報を決定し、このスケジューリング割当情報をＵＥへ伝送する。
【００６２】
Ｎｏｄｅ Ｂは、上記の数学式３により、ＵＥのＥＵＤＣＨデータバッファーに格納されたデータの量を推定し、このＵＥが前記ＥＵＤＣＨデータバッファーに格納されているパケットデータを全て伝送したと判断されると、スケジューリング割当情報のＵＥへの伝送を中止する。このとき、Ｎｏｄｅ Ｂは、１００４区間におけると同様に、前記ＵＥに、このＵＥへのスケジューリング割当情報がこれ以上伝送されないことを表すスケジューリング解除メッセージを通報してもいい。このスケジューリング解除メッセージを受信したＵＥは、前記Ｎｏｄｅ Ｂにバッファー状態情報とＣＳＩの伝送を中断する。このようにスケジューリングを中断した後にも前記Ｎｏｄｅ Ｂは、前記ＵＥから新たなバッファー状態が入力されるか判断するために、ＥＵ−ＤＰＣＣＨのスケジューリング区間ごとにＣＲＣチェックを遂行し続ける。Ｎｏｄｅ Ｂでスケジューリング割当メッセージを使用しない場合、ＵＥはＥＵＤＣＨデータバッファーに格納されているパケットデータが臨界値以下になると、バッファー状態情報とＣＳＩの伝送を中断する。
【００６３】
図１０の実施形態では、バッファー状態情報とＣＳＩの周期的な伝送を始める時点は、初めて伝送したバッファー状態情報を基準としているが、本発明の他の実施形態では、初めて伝送したバッファー状態情報とは別個にバッファー状態情報とＣＳＩの伝送時点を決定する。すなわち、バッファー状態情報とＣＳＩの伝送時点は、下記の数学式５と数学式６によりそれぞれ決定することも可能である。
【００６４】
【数６】
2005065298.tif 000008
【００６５】
【数７】
2005065298.tif 000009
【００６６】
ここで、modは、２つのオペランド間の除算による余りを求める演算子である。ＣＮＴsch_intは、スケジューリング区間を識別するスケジューリング区間番号である。offset_bufferは、ＥＵＤＣＨサービスを提供する複数のＵＥからのバッファー状態情報が同じ時点で伝送されてこの時点でＮｏｄｅ Ｂの測定ＲＯＴが増加するのを防止するために、ＵＥ別に可能なかぎり相互に異なって設定される整数値である。各ＵＥは、自分に設定されたoffset_bufferによって、上記の数学式５を満足する指定スケジューリング区間で、バッファー状態情報をＮｏｄｅ Ｂに伝送する。同様に、offset_CSIは、複数のＵＥからＣＳＩが同じ時点に伝送されてこの時点でＮｏｄｅ Ｂの測定ＲＯＴが増加するのを防止するために、ＵＥ別に可能なかぎり相互に異なって設定される整数値である。各ＵＥは、自分に設定されたoffset_CSIによって、上記の数学式６を満足する指定スケジューリング区間で、ＣＳＩをＮｏｄｅ Ｂに伝送する。offset_bufferとoffset_CSIは、相互に一致しても異なってもいい。
【００６７】
図１１は、本発明の他の実施形態にしたがってバッファー状態情報とＣＳＩを伝送する動作を示している。図１１に示したＵＥはそれぞれ、０に設定されたoffset_bufferとoffset_CSIを持つ。また、バッファー状態情報伝送周期は８倍のスケジューリング区間長さであり、ＣＳＩ伝送周期は４倍のスケジューリング区間長さである。上記の数学式５によれば、バッファー状態情報は、ＣＮＴsch_int＝１６、２４であるスケジューリング区間１１０６,１１０８で伝送されるし、上記の数学式６によれば、ＣＳＩは、ＣＮＴsch_int＝１２、１６、２０、２４、２８であるスケジューリング区間１１０５，１１０６，１１０７，１１０８，１１０９で伝送される。前記ＵＥは、１１０４区間でバッファー状態情報とＣＳＩを最初に伝送した後に、１１０５、１１０６、１１０７、１１０８、１１０９区間でＣＳＩを伝送し、１１０６、１１０８区間でバッファー状態情報を伝送する。
【００６８】
図１２は、本発明の好ましい実施形態に従うＵＥのＥＵＤＣＨ伝送制御器１２００の構造を示している。
図１２を参照すれば、伝送開始及び終了決定器１２０２は、バッファー状態情報及びＣＳＩ伝送の開始時点と終了時点を決定する。この開始時点は、入力されたバッファー状態をあらかじめ定められる臨界値と比較することによって決定する。前記バッファー状態(ＥＵＤＣＨデータバッファーに格納されたパケットデータの量)が前記臨界値を超過する場合、前記伝送開始及び終了決定器１２０２は、前記バッファー状態及びＣＳＩの伝送開始時点に到達したものと決定して開始信号を出力する。前記終了時点は、前記Ｎｏｄｅ Ｂからスケジューリング解除メッセージを受信する時点である。一方、前記バッファー状態情報が前記臨界値以下であれば、前記伝送開始及び終了決定器１２０２は、前記バッファー状態情報及びＣＳＩの伝送終了時点に到達したものと決定して終了信号を出力する。
【００６９】
伝送時点決定器１２０４は、前記伝送開始及び終了決定器１２０２から前記開始信号が出力されると、前記バッファー状態情報及びＣＳＩの伝送時点を決定する。このバッファー状態情報及びＣＳＩの伝送時点は、図１０及び図１１に示すように、ＣＮＴsch_intで表される。このバッファー状態情報及びＣＳＩの伝送周期Ｔbuffer、ＴCSIは、ＲＮＣから上位階層シグナリングを通して前記伝送時点決定器１２０４に伝えられる。この伝送時点決定器１２０４は、バッファー状態情報伝送時点が決定されると、前記バッファー状態情報伝送時点に対応するスケジューリング区間でバッファー状態伝送スイッチ１２０６をオン(on)にする。また、伝送時点決定器１２０４は、ＣＳＩ伝送時点が決定されると、このＣＳＩ伝送時点に対応するスケジューリング区間でＣＳＩ伝送スイッチ１２１４をオンにする。
【００７０】
前記バッファー状態伝送スイッチ１２０６がオンになると、前記バッファー状態情報がＣＲＣ付加部１２０８に入力される。このバッファー状態情報は、ＣＲＣ付加部１２０８でＣＲＣが付加された後に、チャネルコーディング部１２１０でチャネルコーディングされる。このチャネルコーディングされたバッファー状態情報は、多重化器１２１２に入力される。前記ＣＳＩ伝送スイッチ１２１４がオンになると、前記ＣＳＩは、チャネルコーディング部１２１６でチャネルコーディングされた後に、多重化器１２１２に入力される。ＥＵＤＣＨ伝送フォーマット(ＴＦ)決定器１２１８は、前記Ｎｏｄｅ Ｂから伝送されたスケジューリング割当情報に基づいてＥＵＤＣＨサービスのためのパケットデータの伝送フォーマットを決定し、この決定された伝送フォーマットを表す伝送フォーマット因子(Ｅ−ＴＦＲＩ)を生成する。この伝送フォーマット因子(Ｅ−ＴＦＲＩ)は、ＣＲＣ付加部１２２０でＣＲＣが付加された後に、チャネルコーディング部１２２２でチャネルコーディングされる。このチャネルコーディングされた伝送フォーマット因子は、多重化器１２１２に入力される。この多重化器１２１２は、前記符号化されたバッファー状態情報、ＣＳＩ、伝送フォーマット因子を多重化しＥＵ−ＤＰＣＣＨを通して伝送する。
【００７１】
一方、ＥＵＤＣＨパケット送信器１２２４は、前記ＥＵＤＣＨ伝送フォーマット決定器１２１８で決定された伝送フォーマットを用いてＥＵＤＣＨデータバッファーに格納されているパケットデータを伝送する。
【００７２】
図１３は、本発明の好ましい実施形態に従う前記ＵＥ送信装置の動作を示している。
図１３を参照すれば、ステップＳ１３００で、前記ＵＥは、バッファー状態情報、すなわち、ＥＵＤＣＨデータバッファーに格納されたパケットデータの量を観察(monitoring)する。ステップＳ１３０２で、前記ＵＥは、前記ＥＵＤＣＨデータバッファーに格納されているパケットデータの量が、所定の臨界値以上か否か判断する。この判断結果、前記パケットデータの量が前記臨界値以上であれば、ステップＳ１３０６に移行し、前記判断結果、前記ＥＵＤＣＨデータバッファーに格納されているパケットデータ量が前記臨界値よりも小さければ、ステップＳ１３０４に移行する。ステップＳ１３０４で、前記ＵＥは、次のスケジューリング区間になるまで待機した後に、前記ＥＵＤＣＨデータバッファーを観察するためにステップＳ１３００に復帰する。
【００７３】
一方、ステップ１３０６段階で、前記ＵＥは、バッファー状態情報とＣＳＩを伝送し、ステップ１３０８に移行する。このステップＳ１３０８で、前記ＵＥは、次のスケジューリング区間まで待機した後に、ステップＳ１３１０で、前記ＥＵＤＣＨデータバッファーを観察する。ステップ１３１２で、前記ＵＥは、バッファー状態情報とＣＳＩを伝送し続けるか否か判断する。この判断は、上述したように、前記ＥＵＤＣＨデータバッファーに格納されているパケットデータの量と前記臨界値とを比較することによって遂行される。前記パケットデータの量が相変らず前記臨界値以上であれば、前記ＵＥは。バッファー状態情報とＣＳＩを継続して伝送するために、ステップＳ１３１４に移行し、パケットデータの量が臨界値よりも小さければ、前記ＵＥは、このバッファー状態情報とＣＳＩ伝送を中断するために、ステップＳ１３２２に移行する。この１３２２で、前記ＵＥは、逆方向パケット伝送サービスを続けるか否か判断する。この逆方向パケット伝送サービスを続けると判断されると、ステップＳ１３２４に移行して次のスケジューリング区間まで待機する。一方、逆方向パケット伝送サービスを続けないと判断されると、動作を終了する。
【００７４】
ステップＳ１３１４で、前記ＵＥは、現在スケジューリング区間番号が前記ＲＮＣから伝送されたバッファー状態情報伝送周期によって決定されたバッファー状態伝送時点と一致するか否か判断する。この判断結果、前記現在スケジューリング区間番号が前記バッファー状態伝送時点と一致すれば、ステップＳ１３１６に移行し、一致しないと、１３１８段階に進む。この１３１６段階で、前記ＵＥは、バッファー状態を伝送した後に、ステップＳ１３１８に移行する。
【００７５】
このステップＳ１３１８で、前記ＵＥは、前記現在スケジューリング区間番号が、前記ＲＮＣから伝送されたＣＳＩ伝送周期によるＣＳＩ伝送時点と一致するか否か判断する。この判断結果、前記現在スケジューリング区間番号が前記ＣＳＩ伝送時点と一致すればステップＳ１３２０に移行し、一致しないとステップＳ１３０８に復帰する。ステップＳ１３２０で、前記ＵＥはＣＳＩを伝送し、ステップＳ１３０８に復帰する。
【００７６】
図１４は、本発明の好ましい実施形態に従うＮｏｄｅ Ｂの受信装置を示している。
図１４を参照すれば、アンテナ１４００は、ＵＥが伝送したＲＦ信号を受信した後にＲＦ部１４０２に伝達する。このＲＦ部１４０２は、前記ＲＦ信号を基底帯域信号に転換した後に、パルス形成器(Pulse Shaping Filter)１４０４に伝達する。このパルス形成器１４０４は、前記基底帯域信号をデジタル信号に変換した後にデスクランブラー１４０６に伝達する。このデスクランブラー１４０６は、スクランブリングコードＣscrambleを用いて前記デジタル信号をデスクランブリングする。このデスクランブリングされた信号は、逆拡散部１４０８によりＯＶＳＦコードＣOVSFとかけられ、チャネル補償部１４１０を経て逆多重化器１４１２に伝えられる。この逆多重化器１４１２は、前記チャネル補償部１４１０から伝えられた信号を、符号化されたバッファー状態情報、ＣＳＩ、及びＥ−ＴＦＲＩに分離する。最初の時にはＣＳＩ受信スイッチ１４１４とバッファー状態受信スイッチ１４１６がオン(on)になっているため、前記バッファー状態情報と前記ＣＳＩはそれぞれ、バッファー状態チャネルデコーディング部１４２２とＣＳＩチャネルデコーディング部１４２０に伝えられる。
【００７７】
また、符号化されたバッファー状態は、バッファー状態チャネルデコーディング部１４２２によりチャネルデコーディングされる。バッファー状態ＣＲＣ検査器(CRC Checker)１４２６は、前記バッファー状態に対してＣＲＣを検出する。このＣＲＣ検査器１４２６は、前記ＣＲＣ検出結果値を受信時点制御器１４３４に伝達する。この受信時点制御器１４３４は、前記ＣＲＣ検出結果値を用いて前記ＵＥからバッファー状態が伝送されたか否か判断する。前記ＣＲＣ検出結果値が成功(good)であれば、すなわち、前記ＵＥからバッファー状態が伝送されたと判断されると、前記受信時点制御器１４３４は、受信開始時点と判断し、ＣＮＴsch_int、Ｔbuffer、ＴSCI、及び臨界値(ＴＨＲＥＳbuffer)を用いてバッファー状態情報及びＣＳＩの受信時点を決定する。この決定された受信時点でのみ受信時点制御器１４３４はバッファー状態受信スイッチ１４１６とＣＳＩ受信スイッチ１４１４をそれぞれオンにする。
【００７８】
ＣＳＩチャネルデコーディング部１４２０は、前記符号化されたＣＳＩをチャネルデコーディングした後にＥＵＤＣＨスケジューラ１４３０に伝達する。このＥＵＤＣＨスケジューラ１４３０は、前記ＣＳＩチャネルデコーディング部１４２０から送られてきたＣＳＩと前記バッファー状態ＣＲＣ検出部１４２６から送られてきたバッファー状態情報を用いてスケジューリング割当情報を生成する。このスケジューリング割当情報は、スケジューリング制御チャネル(ＥＵ−ＳＣＨＣＣＨ)を通して前記ＵＥに伝送される。Ｅ−ＴＦＲＩチャネルデコーディング部１４１８は、前記逆多重化器１４１２から伝えられた符号化されたＥ−ＴＦＲＩをチャネルデコーディングした後に、Ｅ−ＴＦＲＩＣＲＣ検査器１４２４に伝達する。このＥ−ＴＦＲＩ ＣＲＣ検査器１４２４は、前記Ｅ−ＴＦＲＩに対してＣＲＣ検査を遂行し、もし、このＣＲＣ検査に成功すれば、前記Ｅ−ＴＦＲＩをＥＵＤＣＨデータデコーディング部１４２８に提供する。このＥＵＤＣＨデータデコーディング部１４２８は、前記ＵＥからＥＵ−ＤＰＤＣＨを通して受信されたＥＵＤＣＨデータを、前記Ｅ−ＴＦＲＩを用いてデコーディングする。
【００７９】
ＵＥバッファー状態推定器１４３２は、前記バッファー状態ＣＲＣ検査器１４２６から伝えられた前記バッファー状態情報と前記Ｅ−ＴＦＲＩを用いて前記ＵＥのバッファー状態を推定する。このバッファー状態推定値は、前記受信時点制御器１４３４に伝えられる。この受信時点制御器１４３４は、前記バッファー状態推定値が前記臨界値よりも小さいと受信終了時点と判断し、スケジューリング制御チャネル(ＥＵ−ＳＣＨＣＣＨ)送信器(図５Ｂ)を制御して前記ＵＥにスケジューリング解除メッセージを伝送する。
【００８０】
図１５は、本発明の好ましい実施形態にしたがってＮｏｄｅ Ｂでバッファー状態情報とＣＳＩを受信する動作を示している。
図１５を参照すれば、ステップＳ１５００で、Ｎｏｄｅ Ｂは、ＵＥが伝送した符号化したバッファー状態情報をチャネル復号化する。ステップＳ１５０２で、Ｎｏｄｅ Ｂは、前記バッファー状態情報に対するＣＲＣ検査を遂行し、ステップＳ１５０４に移行する。このステップＳ１５０４で、前記Ｎｏｄｅ Ｂは、前記ＣＲＣ検査結果を用いて、現在スケジューリング区間で前記ＵＥがバッファー状態を伝送したか否か判断する。この判断結果、前記ＣＲＣ検査に成功したら、前記バッファー状態をスケジューラに伝達した後にステップＳ１５０６に移行し、前記ＣＲＣ検査に失敗したら、ステップＳ１５０８に移行する。このステップＳ１５０８で、前記Ｎｏｄｅ Ｂは次のスケジューリング区間まで待機した後に、ステップＳ１５００に復帰する。
【００８１】
一方、ステップＳ１５０６で、Ｎｏｄｅ Ｂは、バッファー状態情報に続いて受信した符号化されたＣＳＩに対してチャネル復号化を遂行してＣＳＩを検出し、この検出したＣＳＩをスケジューラに伝達した後に、ステップＳ１５１０で次のスケジューリング区間まで待機する。ステップＳ１５１２で、前記Ｎｏｄｅ Ｂは、最も最近に受信したバッファー状態情報と受信データ量を用いて前記ＵＥのバッファー状態を推定する。前記受信データ量はＥ−ＴＦＲＩから分かり、最も最近に受信したバッファー状態情報から前記受信データ量を引いた余りが、前記ＵＥのバッファー状態推定値となる。
【００８２】
ステップＳ１５１４で、Ｎｏｄｅ Ｂは、前記バッファー状態推定値が所定の臨界値以上の値を持つか判断する。この判断結果、前記ＵＥのバッファー状態推定値が前記臨界値以上の値を持つと、ステップＳ１５１６に移行し、前記ＵＥのバッファー状態推定値が前記臨界値よりも小さければ、ステップＳ１５２６に移行して前記ＵＥにスケジューリング解除メッセージを伝送した後に、ステップＳ１５２８に移行する。図１５で、ステップＳ１５２６を点線で表した理由は、このステップＳ１５２６が選択的に遂されることを表すことにある。もし、ステップＳ１５２６を遂行しない場合なら、ステップＳ１５１４からステップＳ１５２８に直接移動する。このステップＳ１５２８で、Ｎｏｄｅ Ｂは、上りリンクパケット伝送サービスを続けるか否か判断する。この判断結果、上りリンクパケット伝送サービスを続けると判断されると、ステップＳ１５３０に移行して次のスケジューリング区間まで待機した後に、ステップＳ１５００に復帰する。一方、前記上りリンクパケット伝送サービスを中断すると判断されると、動作を終了する。
【００８３】
ステップＳ１５１６で、Ｎｏｄｅ Ｂは、現在スケジューリング区間がバッファー状態受信時点か判断する。もし、この判断結果、バッファー状態受信時点であれば、Ｎｏｄｅ ＢはステップＳ１５１８に移行し、バッファー状態受信時点でなければ、Ｎｏｄｅ ＢはステップＳ１５２２に移行する。ステップＳ１５１８で、Ｎｏｄｅ Ｂは、現在スケジューリング区間でバッファー状態を受信して復号化処理を遂行した後に、ステップＳ１５２０で、前記復号化されたバッファー状態情報に対してＣＲＣチェックを遂行する。このＣＲＣ検査に成功すれば、前記バッファー状態情報はスケジューラに入力される。
【００８４】
ステップＳ１５２２で、Ｎｏｄｅ Ｂは、現在スケジューリング区間がＣＳＩ受信時点なのか判断する。この判断結果、ＣＳＩ受信時点なら、ステップＳ１５２４に移行して前記現在スケジューリング区間でＣＳＩを受信しチャネル復号化処理を遂行し、現在スケジューリング区間がＣＳＩ受信時点でなければステップＳ１５１０に復帰する。
【００８５】
図１６は、本発明の好ましい実施形態によってＮｏｄｅ Ｂから伝えられるスケジューリング割当情報を受信するＵＥのＥＵ−ＳＣＨＣＣＨ受信部の構造を示している。
図１６を参照すれば、アンテナ１６００は、Ｎｏｄｅ Ｂが伝送したスケジューリング割当情報を含むＲＦ信号を受信してＲＦ部１６０２に伝達する。このＲＦ部１６０２は、前記ＲＦ信号を基底帯域信号に転換した後に、パルス形成器１６０４に伝達する。このパルス形成器１６０４は、前記基底帯域信号をデジタル信号に変換してデスクランブラー１６０６に伝達する。このデスクランブラー１６０６は、スクランブリングコードＣscrambleを用いて前記デジタル信号をデスクランブリングする。このデスクランブリングされた信号は、スイッチ１６０８、逆拡散部１６１０、チャネル補償部１６１２を順に経てＥＵ−ＳＣＨＣＣＨチャネル復号器１６１４に伝えられる。前記スイッチ１６０８の動作については後述される。
【００８６】
ＥＵ−ＳＣＨＣＣＨチャネル復号器１６１４は、チャネル補償部１６１２から伝えられたデータに対してチャネル復号化処理を遂行した後に、この復号されたデータをＥＵ−ＳＣＨＣＣＨ ＣＲＣ検出部１６１６に伝達する。このＥＵ−ＳＣＨＣＣＨ ＣＲＣ検査器１６１６で前記復号されたデータに対するＣＲＣチェックを遂行することによって、Ｎｏｄｅ Ｂからスケジューリング割当情報が受信されたか否かを判断する。このＣＲＣ検査結果が成功であれば、前記ＥＵ−ＳＣＨＣＣＨ ＣＲＣ検査器１６１６は、前記復号されたデータがスケジューリング割当情報を含むと判断し、前記スケジューリング割当情報を検出してＥＵＤＣＨ伝送制御器１６１８に伝達する。また、前記スケジューリング割当情報がスケジューリング解除メッセージを含んでいれば、ＥＵ−ＳＣＨＣＣＨ ＣＲＣ検査器１６１６は、前記スケジューリング解除メッセージを検出してスケジューリング割当受信制御器１６２０に伝達する。
【００８７】
このスケジューリング割当受信制御器１６２０は、ＥＵＤＣＨデータバッファーのバッファー状態情報、所定の臨界値ＴＨＲＥＳbuffer、そしてバッファー状態報告フラグ(Buffer state report flag)を受ける。このバッファー状態報告フラグは、ＵＥの送信側からＮｏｄｅ Ｂに最初のバッファー状態を伝送した時に活性化される。このバッファー状態報告フラグにより、Ｎｏｄｅ Ｂに最初のバッファー状態が伝送されたことを認知すれば、スケジューリング割当受信制御器１６２０は、スイッチ１６０８をオン(on)にしてＮｏｄｅ Ｂから伝送されるスケジューリング割当情報を受信する。このスケジューリング割当受信制御器１６２０は、前記バッファー状態情報と前記臨界値を用いてスイッチ１６０８を制御する。すなわち、前記バッファー状態が前記臨界値より大きいか等しい場合、スイッチ１６０８はオンになって前記Ｎｏｄｅ Ｂから伝送されたスケジューリング割当情報を受信する。前記バッファー状態情報が前記臨界値よりも小さい場合、スイッチ１６０８はオフ(off)になる。また、スケジューリング割当受信制御器１６２０は、ＥＵ−ＳＣＨＣＣＨＣＲＣ検査器１６１６からスケジューリング解除メッセージを受信するとスイッチ１６０８をオフにする。
【００８８】
図１７は、本発明の好ましい実施形態に従うＵＥのＥＵ−ＳＣＨＣＣＨ受信器の動作を示している。
図１７を参照すれば、ステップＳ１７００で、ＵＥは、スケジューリング割当情報の受信開始条件を満足したか否か判断する。この受信開始条件は、バッファー状態報告フラグが活性化される時点である。このバッファー状態報告フラグが活性化されると、ステップＳ１７０２に移行し、そうでなければ、ステップＳ１７０４に移行して次のスケジューリング区間まで待機する。
【００８９】
ステップＳ１７０２で、ＵＥは、ＥＵ−ＳＣＨＣＣＨ受信データに対してチャネル復号化を遂行した後に、ステップＳ１７０４に移行して前記復号化されたデータに対するＣＲＣチェックを遂行する。このＣＲＣチェックにより、前記復号化されたデータが前記スケジューリング割当情報と判断されると、ステップＳ１７１０に移行し、スケジューリング割当情報でないと判断されると、ステップＳ１７１２に移行する。ステップＳ１７１０で、ＵＥは、前記スケジューリング割当情報をＥＵＤＣＨ伝送制御器に伝達する。ステップＳ１７１２で、ＵＥは、次のスケジューリング区間まで待機した後に、ステップＳ１７１４に移行する。
【００９０】
このステップＳ１７１４で、ＵＥは、ＥＵＤＣＨデータバッファーのバッファー状態を観察する。このバッファー状態の観察は、前記ＥＵＤＣＨデータバッファーに格納されているパケットデータの量と所定の臨界値とを比較することによってなされる。この比較結果に基づいて、ステップＳ１７１６で、ＵＥはスケジューリング割当情報の受信を続けて遂行するか否か判断する。また、ＵＥは、前記スケジューリング割当情報にスケジューリング解除メッセージが含まれたか否かを検査することによってスケジューリング割当情報の受信を続けるか否か決定する。前記パケットデータの量が前記臨界値より大きいか等しい場合、または、前記スケジューリング解除メッセージが受信されない場合、ＵＥは、前記スケジューリング割当情報を受信し続けるために、ステップＳ１７０２に復帰する。一方、前記パケットデータの量が前記臨界値より小さい場合、または、前記スケジューリング解除メッセージが受信された場合、ステップＳ１７１８に移行する。ステップＳ１７１８で、ＵＥは、上りリンクパケット伝送サービスを続けるか否か判断する。この上りリンクパケット伝送サービスを続けるものと判断すれば、ＵＥはステップＳ１７２０に移行して次のスケジューリング区間まで待機した後に、ステップＳ１７００に復帰する。一方、前記上りリンクパケット伝送サービスを中断するものと判断すれば、動作を終了する。
【００９１】
以上では、本発明の具体的な実施形態について説明してきたが、本発明の範囲を逸脱しない限度内で様々な変形が可能であることは当然である。したがって、本発明の範囲は、説明された実施形態に限定されず、特許請求の範囲とこの範囲と均等なものによって決められるべきである。
【図面の簡単な説明】
【００９２】
【図１Ａ】基地局制御スケジューリングを使用しない場合の基地局の上りリンク無線資源の変化を示す図である。
【図１Ｂ】基地局制御スケジューリングを使用する場合の基地局の上りリンク無線資源の変化を示す図である。
【図２】上りリンクパケット伝送を遂行する使用者端末と基地局を示す図である。
【図３】上りリンクパケット伝送を遂行するために使用者端末と基地局間に送受信される情報を示す図である。
【図４】上りリンクパケットを伝送する使用者端末の送信装置の構造を示す図である。
【図５Ａ】上りリンクパケットを受信する基地局のスケジューリング制御チャネル構造を示す図である。
【図５Ｂ】スケジューリング制御チャネル送信器の構造を示す図である。
【図６】Ｎｏｄｅ Ｂ制御スケジューリングのためのバッファー状態情報とチャネル状態情報を連続して伝送する動作を示す図である。
【図７】ソフトハンドオーバー領域に位置した使用者端末の上りリンク電力制御動作を示す図である。
【図８】本発明の一実施形態に従うチャネル状態伝送周期の設定動作を示す流れ図である。
【図９】本発明の好ましい実施形態に従うバッファー状態情報とチャネル状態の伝送形式を示す図である。
【図１０】本発明の一実施形態に従うバッファー状態情報とチャネル状態情報の伝送を示す図である。
【図１１】本発明の他の実施形態に従うバッファー状態情報とチャネル状態情報の伝送を示す図である。
【図１２】本発明の好ましい実施形態によってバッファー状態情報とチャネル状態を伝送する使用者端末のＥＵＤＣＨ伝送制御器の構造を示す図である。
【図１３】本発明の好ましい実施形態によってバッファー状態情報とチャネル状態情報を伝送する使用者端末の動作を示す流れ図である。
【図１４】本発明の好ましい実施形態によってバッファー状態情報とチャネル状態を受信する基地局のＥＵＤＣＨ受信装置の構造を示す図である。
【図１５】本発明の好ましい実施形態によってバッファー状態情報とチャネル状態情報を受信する基地局の動作を示す流れ図である。
【図１６】本発明の好ましい実施形態によってスケジューリング割当情報を受信する使用者端末のＥＵ−ＳＣＨＣＣＨ受信部の構造を示す図である。
【図１７】本発明の好ましい実施形態によってスケジューリング割当情報を受信する使用者端末の受信動作を示す流れ図である。
【符号の説明】
【００９３】
１２０２・・・伝送開始及び終了決定器
１２０４・・・伝送時点決定器
１２０６・・・バッファー状態伝送スイッチ
１２０８・・・ＣＲＣ付加部
１２１０・・・チャネルコーディング部
１２１２・・・多重化器
１２１４・・・ＣＳＩ伝送スイッチ
１２１６・・・チャネルコーディング部
１２１８・・・ＥＵＤＣＨ伝送フォーマット決定器
１２２０・・・ＣＲＣ付加部
１２２２・・・チャネルコーディング部
１２２４・・・ＥＵＤＣＨパケット送信器
【図１Ａ】
2005065298.tif 000014
【図１Ｂ】
2005065298.tif 000015
【図２】
2005065298.tif 000016
【図３】
2005065298.tif 000017
【図４】
2005065298.tif 000018
【図５Ａ】
2005065298.tif 000019
【図５Ｂ】
2005065298.tif 000020
【図６】
2005065298.tif 000021
【図７】
2005065298.tif 000022
【図８】
2005065298.tif 000023
【図９】
2005065298.tif 000024
【図１０】
2005065298.tif 000025
【図１１】
2005065298.tif 000026
【図１２】
2005065298.tif 000027
【図１３】
2005065298.tif 000028
【図１４】
2005065298.tif 000029
【図１５】
2005065298.tif 000030
【図１６】
2005065298.tif 000031
【図１７】
2005065298.tif 000032
【外国語明細書】
2005065298.tif 000033
2005065298.tif 000034
2005065298.tif 000035
2005065298.tif 000036
2005065298.tif 000037
2005065298.tif 000038
2005065298.tif 000039
2005065298.tif 000040
2005065298.tif 000041
2005065298.tif 000042
2005065298.tif 000043
2005065298.tif 000044
2005065298.tif 000045
2005065298.tif 000046
2005065298.tif 000047
2005065298.tif 000048
2005065298.tif 000049
2005065298.tif 000050
2005065298.tif 000051
2005065298.tif 000052
2005065298.tif 000053
2005065298.tif 000054
2005065298.tif 000055
2005065298.tif 000056
2005065298.tif 000057
2005065298.tif 000058
2005065298.tif 000059
2005065298.tif 000060
2005065298.tif 000061
2005065298.tif 000062
2005065298.tif 000063
2005065298.tif 000064
2005065298.tif 000065
2005065298.tif 000066
2005065298.tif 000067
2005065298.tif 000068
2005065298.tif 000069
2005065298.tif 000070
2005065298.tif 000071
2005065298.tif 000072
2005065298.tif 000073
2005065298.tif 000074
2005065298.tif 000075
2005065298.tif 000076
2005065298.tif 000077
2005065298.tif 000078
2005065298.tif 000079
2005065298.tif 000080
2005065298.tif 000081
2005065298.tif 000082
2005065298.tif 000083
2005065298.tif 000084
2005065298.tif 000085
2005065298.tif 000086